(57)【要約】【課題】原稿押圧部と本体との間を結ぶ配線を少なくすることが可能な画像読取装置を提供する。【解決手段】原稿の画像を読み取り、読み取られた画像に特定画像が含まれるか否かを判定するスキャナ１１３であって、原稿の表面画像を読み取ることにより表面画像情報を出力する表面読取部７５と、原稿の裏面画像を読み取ることにより裏面画像情報を出力する裏面読取部７０と、特定画像を判定するための特定画像情報１２３ａを記憶している特定画像記憶部１２３と、表面画像情報と特定画像情報とに基づいて、表面画像と裏面画像を含む原稿の画像に特定画像が含まれていると判定する特定画像判定部１２５とを備える。【選択図】図６
2008270920.tif 000002
【特許請求の範囲】
【請求項１】
原稿の画像を読み取り、読み取られた画像に特定画像が含まれるか否かを判定する画像読取装置であって、
原稿の第１面の画像を読み取り、読み取られた画像を示す第１画像情報を出力する第１読取手段と、
前記原稿の第２面の画像を読み取り、読み取られた画像を示す第２画像情報を出力する第２読取手段と、
前記特定画像を判定するための特定画像情報を記憶している特定画像情報記憶手段と、
前記第１画像情報を前記第１読取手段から取得するとともに前記特定画像情報を前記特定画像情報記憶手段から取得し、取得した前記第１画像情報と、取得した前記特定画像情報とに基づいて、前記第１面および前記第２面を含む原稿の画像に前記特定画像が含まれているか否かを判定する特定画像判定手段とを備える
ことを特徴とする画像読取装置。
【請求項２】
さらに、前記原稿の第１面および第２面のうち、いずれを読み取るかを示す情報を含む利用者の指示を受け付ける指示受付手段と、
前記指示受付手段により受け付けられた情報を取得し、取得した情報を参照することにより前記原稿の第１面および第２面のいずれの面を読み取るかを判断する読取判断手段とを備え、
前記第２読取手段は、前記読取判断手段により読み取ると判断された面が前記第２面を含む場合に、前記原稿の第２面の画像を読み取り、読み取られた画像を示す第２画像情報を出力し、
前記第１読取手段は、前記読取判断手段により読み取ると判断された面が前記第１面である場合および前記第２面である場合に、前記原稿の第１面の画像を読み取り、読み取られた画像を示す第１画像情報を出力する
ことを特徴とする請求項１に記載の画像読取装置。
【請求項３】
前記第１読取手段は、前記第２読取手段より解像能力が高い
ことを特徴とする請求項１または請求項２に記載の画像読取装置。
【請求項４】
前記第１読取手段は、縮小光学系で読み取り、
前記第２読取手段は、等倍光学系で読み取る
ことを特徴とする請求項１から請求項３のいずれか１項に記載の画像読取装置。
【請求項５】
さらに、原稿を載置するコンタクトガラスを備え、
前記第１読取手段は、さらに、前記コンタクトガラスに載置された原稿を走査することにより読み取る
ことを特徴とする請求項１から請求項４のいずれか１項に記載の画像読取装置。
【請求項６】
前記第１読取手段は、前記第２読取手段とともに原稿を読み取る場合に、前記第２読取手段よりも先に原稿の読み取りを開始する位置に設置されている
ことを特徴とする請求項１から請求項５までのいずれか１項に記載の画像読取装置。
【請求項７】
情報を文字または画像として印刷するプリンタと、
ファクシミリで情報を送信するファクシミリ通信手段と、
ネットワークを介して接続された装置と情報を送受信するネットワーク通信手段と、
原稿を自動供給する原稿供給部と、
前記原稿供給部により供給される原稿の両面の画像をそれぞれ異なる読取手段により読み取り、読み取られた画像に特定画像が含まれるか否かを判定する画像読取部とを有するスキャナとを備えるネットワーク複合機であって、
前記画像読取部は、
前記原稿の第１面の画像を読み取り、読み取られた画像を示す第１画像情報を出力する第１読取手段と、
前記原稿の第２面の画像を読み取り、読み取られた画像を示す第２画像情報を出力する第２読取手段と、
前記特定画像を判定するための特定画像情報を記憶している特定画像情報記憶手段と、
前記第１画像情報のみを前記第１読取手段から取得するとともに前記特定画像情報を前記特定画像情報記憶手段から取得し、取得した前記第１画像情報と、取得した前記特定画像情報とに基づいて、前記第１面および前記第２面を含む前記原稿の画像に前記特定画像が含まれているか否かを判定する特定画像判定手段とを備える
ことを特徴とするネットワーク複合機。
【発明の詳細な説明】
【技術分野】
【０００１】
本発明は、原稿に特定の画像が含まれているか否かを判定する画像読取装置に関する。
【背景技術】
【０００２】
原稿の中には、紙幣などのように複製の作成が好ましくないものがある。画像読取装置では、複製を制限すべき原稿に含まれる特定の画像（以下、「特定画像」ともいう。）の処理ができないように制御される。
【０００３】
このような特定画像の一例として、紙幣にしるされている印章を挙げることができる。画像読取装置は、紙幣の複製を制限するため、紙幣の印章などの特定画像が原稿に含まれるか否かを判定する回路基板を特定画像判定手段として備える。特定画像判定手段により特定の画像が含まれると判定された原稿の処理を禁止するなどの制御をすることで、不正や犯罪を予防することができる。
【０００４】
画像読取装置には原稿の両面の画像を読み取るものも多い。そのような画像読取装置は、例えば、２つの異なる読取手段により原稿の表面と裏面とのそれぞれを読み取る。そして、ＡＤＦ（Ａｕｔｏ  Ｄｏｃｕｍｅｎｔ  Ｆｅｅｄｅｒ：自動原稿給紙装置）で供給される原稿の両面を読み取る場合、ＦＢＳ（Ｆｌａｔ  Ｂｅｄ  Ｓｃａｎｎｅｒ）を有する本体（以下、「ＦＢＳ部」ともいう。）にＣＣＤ（Ｃｈａｒｇｅ  Ｃｏｕｐｌｅｄ  Ｄｅｖｉｃｅｓ：縮小光学系、光学縮小方式などともいう。）の第１読取手段を備え、ＡＤＦを有する原稿押圧部（以下、「ＡＤＦ部」ともいう。）にＣＩＳ（Ｃｏｎｔａｃｔ  Ｉｍａｇｅ  Ｓｅｎｓｏｒ：等倍光学系、密着センサ方式などともいう。）の第２読取手段を備える。これにより、ＡＤＦ内の原稿搬送路の１度の通過で両面を読み取ることができる。
【０００５】
ここで、原稿に特定画像が含まれるか否かを判断するために、原稿押圧部に備えられる第１読取手段と本体に備えられる第２読取手段とのそれぞれに特定画像判定手段としての回路基板を備えることは画像読取装置全体を複雑化させ、コストがかさむ。１つの特定画像判定手段により原稿に特定画像が含まれるか否かを判定することが望ましい。
【０００６】
従来、表面と裏面との入力画像を縮小し１画像に合成して特定画像判定手段に入力する技術が提案されている（特許文献１参照）。これにより、画像読取装置が備える１つの特定画像判定手段によって、原稿の両面に特定の画像が含まれているかを判断することができる。
【特許文献１】特開２００５-０２６８８０号公報
【発明の開示】
【発明が解決しようとする課題】
【０００７】
しかしながら、従来の画像読取装置において、本体が備える第１読取手段と原稿押圧部が備える第２読取手段とは、それぞれ原稿の画像を読み取り、色を表現するための３成分を含む画像情報として出力する。そのため、原稿押圧部と本体との間を結ぶ配線に、画像情報を特定画像判定手段に送信するための配線が含まれ、原稿押圧部と本体との間を結ぶ配線が多くなるという問題がある。
【０００８】
例えば、特定画像判定手段が本体に備えられる場合、原稿押圧部に備えられる第２読取手段から特定画像判定手段に画像情報を送信するために、第２読取手段と特定画像判定手段とは結線される。画像情報が、画素の色調を光の３原色の輝度で表すＲＧＢ系、または画素の色調を輝度と色差で表すＹＣＣ系で表されている場合、いずれの場合も画像情報は３成分から構成され、各成分は８ｂｉｔである。そのため、第１読取手段と特定画像判定手段とを結ぶ配線は２４本となる。
【０００９】
さらに、一般に、第１読取手段とＣＰＵ（Ｃｅｎｔｒａｌ  Ｐｒｏｃｅｓｓｉｎｇ  Ｕｎｉｔ：中央処理装置）とを結ぶ配線がある。例えば、ＣＰＵの処理能力が１６ｂｉｔの場合、第１読取手段とＣＰＵとは１６本の配線により結線される。
【００１０】
すなわち、原稿押圧部に備えられる第２読取手段と、本体に備えられる特定画像判定手段およびＣＰＵとを結線するために、４０本の配線が必要となる。一般に、第２読取手段が備えられる原稿押圧部と特定画像判定手段およびＣＰＵが備えられる本体とはヒンジ構造により開閉自在となっている。このような構造上、原稿押圧部と本体との間を結ぶ配線が多いことは、設計開発の制約および負担になる。
【００１１】
本発明は、上記の問題を解決するためになされたもので、原稿押圧部と本体との間を結ぶ配線を少なくすることが可能な画像読取装置の提供を目的とする。
【課題を解決するための手段】
【００１２】
上記目的を達成するために、本発明に係る画像読取装置は、原稿の画像を読み取り、読み取られた画像に特定画像が含まれるか否かを判定する画像読取装置であって、原稿の第１面の画像を読み取り、読み取られた画像を示す第１画像情報を出力する第１読取手段と、前記原稿の第２面の画像を読み取り、読み取られた画像を示す第２画像情報を出力する第２読取手段と、前記特定画像を判定するための特定画像情報を記憶している特定画像情報記憶手段と、前記第１画像情報を前記第１読取手段から取得するとともに前記特定画像情報を前記特定画像情報記憶手段から取得し、取得した前記第１画像情報と、取得した前記特定画像情報とに基づいて、前記第１面および前記第２面を含む原稿の画像に前記特定画像が含まれているか否かを判定する特定画像判定手段とを備える。
【００１３】
このように、特定画像判定手段は、原稿の画像に特定画像が含まれているか否かを第１画像情報に基づいて判定する。これにより、第２画像情報を取得するための第２読取手段と特定画像判定手段とを接続する配線は不要になる。原稿押圧部が第２読取手段を備え、本体が特定画像判定手段を備えることによって、原稿押圧部と本体との間を結ぶ配線は、第１読取手段とＣＰＵとを結ぶ配線だけにすることができ、第２画像情報を取得するための配線に起因する設計上の制約や負担を軽減することが可能になる。また、この配線からの放射ノイズを低減させることが可能になる。
【００１４】
好ましくは、さらに、前記原稿の第１面および第２面のうち、いずれを読み取るかを示す情報を含む利用者の指示を受け付ける指示受付手段と、前記指示受付手段により受け付けられた情報を取得し、取得した情報を参照することにより前記原稿の第１面および第２面のいずれの面を読み取るかを判断する読取判断手段とを備え、前記第２読取手段は、前記読取判断手段により読み取ると判断された面が前記第２面を含む場合に、前記原稿の第２面の画像を読み取り、読み取られた画像を示す第２画像情報を出力し、前記第１読取手段は、前記読取判断手段により読み取ると判断された面が前記第１面である場合および前記第２面である場合に、前記原稿の第１面の画像を読み取り、読み取られた画像を示す第１画像情報を出力する。
【００１５】
このように、利用者からいずれの面の画像を読み取る指示を受け付けたかに関わらず、第１読取手段は第１画像情報を出力する。これにより、特定画像判定手段は、第１画像情報に基づいて、原稿に特定画像が含まれるか否かを判定することができる。したがって、原稿の第２面のみの画像を読み取る指示を受け付けた場合であっても、その原稿に特定画像が含まれているか否かを判定することが可能になる。
【００１６】
さらに好ましくは、前記第１読取手段は、前記第２読取手段より解像能力が高い。
このように、第１読取手段と第２読取手段とで解像能力が異なる場合、第１読取手段の方が解像能力が高い。すなわち、特定画像判定部は、解像能力が高い第１読取手段に接続される。これにより、精細な画像情報に基づいて特定画像が含まれているか否かを判定することができ、精度の高い判定が可能になる。
【００１７】
このような、第１読取手段と第２読取手段とで解像能力が異なり、第１読取手段より第２読取手段の方が解像能力が高い場合として、第１読取手段が縮小光学系で読み取る読取手段であり、第２読取手段が等倍光学系で読み取る読取手段である例が挙げられる。
【００１８】
さらに好ましくは、さらに、原稿を載置するコンタクトガラスを備え、前記第１読取手段は、さらに、前記コンタクトガラスに載置された原稿を走査することにより読み取る。
【００１９】
このように、第１読取手段はＦＢＳで原稿を読み取る場合の読取手段となる。これにより、ＦＢＳによって原稿を読み取る場合であっても、その原稿に特定画像が含まれているか否かを判定することができる。
【００２０】
さらに好ましくは、前記第１読取手段は、前記第２読取手段とともに原稿を読み取る場合に、前記第２読取手段よりも先に原稿の読み取りを開始する位置に設置されている。
【００２１】
このように、第１読取手段と第２読取手段とは異なる位置に配置される。これにより、第２読取手段による画像の読み取りよりも先に、第１読取手段により読み取られた第１面の画像に基づいて、特定画像の有無を判定することができる。したがって、第１読取手段と第２読取手段との位置関係を逆にする場合、すなわち、第２読取手段の方が第１読取手段よりも先に原稿の読み取りを開始するように配置するよりも、早く判定結果を得ることができ、その結果、処理全体を早く終了させることが可能になる。
【００２２】
なお、本発明は、このような手段を備える画像読取装置として実現することができるだけでなく、このような画像読取装置を備えるスキャナおよびネットワーク複合機として実現することもできる。
【発明の効果】
【００２３】
本発明により、原稿の画像を読み取る読取手段から原稿に特定の画像が含まれているか否かを判定する特定画像判定手段に少ない配線で画像情報を送信することができる。したがって、その配線による設計上の制約や負担を軽減することが可能になり、配線からの放射ノイズを低減することが可能になる。
【発明を実施するための最良の形態】
【００２４】
以下に、図面を参照しながら、本発明に係る画像読取装置の実施の形態について説明する。
【００２５】
図１は、本発明の一実施の形態としてのネットワーク複合機を含む通信システムの構成例を示す図である。
【００２６】
本図に示す通信システムは、ネットワーク複合機１および２と、端末３および４とにより構成され、ネットワーク複合機１とネットワーク複合機２とはＰＳＴＮ（Ｐｕｂｌｉｃ  Ｓｗｉｔｃｈｅｄ  Ｔｅｌｅｐｈｏｎｅ  Ｎｅｔｗｏｒｋｓ：公衆電話回線網）５を介して接続され、ネットワーク複合機１と端末３と端末４とはＬＡＮ（Ｌｏｃａｌ  Ａｒｅａ  Ｎｅｔｗｏｒｋ）６を介して接続されている。
【００２７】
ネットワーク複合機１および２は、プリンタ、ファクシミリ、ＬＡＮ通信およびスキャナ機能を備える。また、端末３および４は、ＬＡＮ通信できるコンピュータなどである。本発明の画像読取装置は、ネットワーク複合機１および２が備えるスキャナに含まれる。
【００２８】
例えば、ネットワーク複合機１は、スキャナにより読み取られた原稿の画像を示す情報（以下、「画像情報」ともいう。）を、ネットワーク複合機２にＰＳＴＮ５を介してファクシミリ送信し、また、端末３および４にＬＡＮ６を介して送信する。
【００２９】
図２は、ネットワーク複合機１の外観を示す図である。図２（ａ）はネットワーク複合機１の正面図であり、図２（ｂ）はネットワーク複合機１の平面図である。図２（ａ）に示すようにネットワーク複合機１は、本体と原稿押圧部とを備える。
【００３０】
原稿押圧部は、ＦＢＳのコンタクトガラス上に載置された原稿を押さえつける部位であり、本実施の形態のＡＤＦ部２０は原稿押圧部の一例である。
【００３１】
本体は、ネットワーク複合機１のＡＤＦ部２０、ヒンジ部３５および配線４０を除く部分をいう。すなわち、ＦＢＳ部１０とユーザインターフェース３０は、本体の一部である。
【００３２】
ＡＤＦ部２０は、図２（ｂ）に示すようにヒンジ部３５によりＦＢＳ部１０に取り付けられており、ヒンジ部３５を軸にユーザインターフェース３０側が開閉自在となっている。すなわち、ＦＢＳ部１０とＡＤＦ部２０とはヒンジ部３５により連結され、ＦＢＳ部１０とＡＤＦ部２０とのそれぞれに備えられる回路基板は、信号線を束ねた配線４０を介して情報を送受信する。
【００３３】
ユーザインターフェース３０は、ＦＢＳ部１０と一体となっており、図２（ｂ）に示すように操作パネル３２とディスプレイ３４とを備える。
【００３４】
図３は、ネットワーク複合機１のスキャナの主要部を示す断面図である。スキャナは、上記のようにＡＤＦ部２０とＦＢＳ部１０とから構成される。
【００３５】
ＡＤＦ部２０は、ＡＤＦと裏面読取部７０とを備える。ＡＤＦは、原稿供給トレイ５２と、搬送ローラ５４、５８および６０と、原稿排出トレイ６４とを備え、裏面読取部７０はＡＤＦにより搬送される各原稿の裏面に含まれる画像を読み取る。
【００３６】
図４は、ネットワーク複合機１の形態の裏面読取部７０の詳細を示す図である。
裏面読取部７０は、等倍光学系で画像を読み取る。このような裏面読取部７０は、密着センサを用いたものであって、筐体９３と、それに取り付けられた透光性のコンタクトガラス９１とを備え、筐体９３は、一列に配置されている光源９５と、搬送路の裏面読取スリット７２を通過する原稿５０からの反射光を光学レンズ９７を介して受光する光電変換素子９９とを有する。本実施の形態の光電変換素子９９は、例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサである。なお、裏面読取部７０の光電変換素子９９は、ＣＣＤ（Ｃｈａｒｇｅ  Ｃｏｕｐｌｅｄ  Ｄｅｖｉｃｅ）イメージセンサであってもよい。
【００３７】
ここで図３の説明に戻る。
ＦＢＳ部１０は、ＦＢＳを備える。ＦＢＳは、表面読取部７５とコンタクトガラス７６とを備える。表面読取部７５は、走査部７９と、ミラー８３および８５と、光学レンズ８７と、光電変換素子８９とを備える。走査部７９は、光源８０とミラー８１とを備える。光源８０の具体例としては、ＬＥＤ（Ｌｉｇｈｔ  Ｅｍｉｔｔｉｎｇ  Ｄｉｏｄｅ）を挙げることができる。また、光電変換素子８９の具体例としては、ＣＣＤイメージセンサを挙げることができる。
【００３８】
このようなスキャナにより原稿を読み取る場合の各部の動作について説明する。
まず、コンタクトガラス７６上に載置された原稿を読み取る場合、走査部７９は、光源８０が光を発しながら図示しない駆動装置により本図の右方向に移動することによって、原稿を走査する。操作中の原稿からの反射光はミラー８１とミラー８３および８５とを介して、光電変換素子８９に受光され電子データとして出力される。このとき、ミラー８３および８５は、図示しない駆動装置により、ミラー８１から光電変換素子８９までの距離が一定になるように走査部７９とは異なる速度で本図の右方向に移動する。走査部７９およびミラー８３および８５は、原稿を走査した後に初期位置に戻る。これにより、コンタクトガラス７６と接する原稿面上の画像を読み取ることができる。
【００３９】
次に、原稿供給トレイ５２に載置された複数の原稿５０の両面を読み取る場合の各原稿５０の動きとその原稿５０の読み取りの流れについて説明する。
【００４０】
原稿供給トレイ５２に載置された各原稿５０は、ローラ５４により搬送が開始され、搬送される各原稿５０が通過する搬送路５６の脇に配置された複数のローラ５８および６０により搬送される。搬送される原稿５０は、搬送されている途中で、裏面読取スリット７２において裏面読取部７０により裏面が読み取られ、表面読取スリット７７において表面読取部７５により表面が読み取られる。
【００４１】
このように、本実施の形態のようなスキャナでは、搬送路を通過する原稿の表面と裏面とをそれぞれ異なる読取部により読み取る。そのため、搬送路を一度通過させるだけで両面の読み取りを完了させることができる。
【００４２】
また、両面を読み取る場合、表面画像が裏面画像よりも先に読み取られる。そのため、後述するように、先に読み取られる表面画像に基づいて原稿に特定画像が含まれるか否かを判定することによって、後に読み取られる裏面画像に基づいて原稿に特定画像が含まれるか否かを判定するよりも判定結果を早く得ることができる。そのため、判定結果を待って開始される処理の開始を早くすることができるため、処理全体を早く終了させることが可能になる。
【００４３】
ここで、原稿の表面は請求項に記載の「原稿の第１面」に相当し、原稿の裏面は請求項に記載の「原稿の第２面」に相当する。
【００４４】
図５は、ネットワーク複合機１のハードウェア構成の一例を示す図である。ネットワーク複合機１のハードウェア構成の一例を示す図である。ネットワーク複合機１は、自動原稿読取装置としてのスキャナにより読み取られた原稿の画像を示す情報をユーザが指示した出力先に出力する装置の一例である。
【００４５】
ネットワーク複合機１は、ユーザインターフェース３０と、ＣＰＵ１０１と、ＲＯＭ１０３と、ＲＡＭ１０５と、モデム１０７と、ＮＣＵ１０９と、スキャナ１１３と、プリンタ１１５と、ＬＡＮＩ／Ｆ１１７とを備え、これらは内部バス１１９により接続されている。
【００４６】
ユーザインターフェース３０は、操作パネル３２とディスプレイ３４とを有する。操作パネル３２は、利用者からの操作を受け付ける部位であり、具体的にはキーボタンやタッチパネルなどである。ディスプレイ３４は利用者への操作ガイドや、ネットワーク複合機１の動作状態を表示する表示装置であり、具体的にはＬＣＤ（Ｌｉｑｕｉｄ  Ｃｒｙｓｔａｌ  Ｄｉｓｐｌａｙ：液晶表示装置）等である。
【００４７】
ＣＰＵ１０１は、ＲＯＭ１０３に格納された制御プログラム１０３ａを実行することにより、ネットワーク複合機１の全体を制御する。
【００４８】
本発明に特徴的な処理として、ＣＰＵ１０１は、まず、原稿操作パネル３２に利用者が入力した原稿の読取指示を取得し、取得した読取指示に基づいて原稿の表面、裏面および両面のいずれを読み取るかを判断する。また、ＣＰＵ１０１は、特定の画像を含む原稿が読み取られた場合、その原稿の画像がそのまま電子データとして出力または送信され、また、その原稿の画像がそのまま印刷されることがないように制御する。
【００４９】
ＲＯＭ１０３は、ＣＰＵ１０１が実行する制御プログラム１０３ａを保持する読み出し専用メモリである。
【００５０】
ＲＡＭ１０５は、ＣＰＵ１０１が制御プログラム１０３ａを実行する際に用いられるワークデータ、及びスキャナ１１３から得られる電子データを保持する読み書き可能なメモリである。
【００５１】
モデム１０７は、ＲＡＭ１０５に保持された電子データをファクシミリ信号に変調して送信し、また外部からから受信されたファクシミリ信号を電子データに復調する。モデム１３は、例えばＧ３規格に準拠したファクスモデムである。
【００５２】
ＮＣＵ１０９は、モデム１０７とＰＳＴＮ５との接続を制御する網制御装置である。
スキャナ１１３は、画像を読み取る装置であり、請求項に記載の画像読取装置に相当する。スキャナ１１３は、ＲＯＭ１０３に格納されている制御プログラム１０３ａを実行するＣＰＵ１０１の制御下で、原稿供給トレイ５２に載置された複数の原稿を順に供給し、供給された原稿を読み取り、読み取った情報を電子データとしてＲＡＭ１０５に格納する。また、スキャナ１１３は、後述するように、読み取った画像に特定の画像が含まれているか否かを判定する回路基板と、読み取った画像を圧縮する回路基板とを有する。
【００５３】
プリンタ１１５は、印刷装置であり、例えば、ＲＡＭ１０５に格納された各原稿を示す電子データを、ＣＰＵ１０１の制御下で原稿イメージとして印刷出力する。
【００５４】
ＬＡＮＩ／Ｆ１１７は、ネットワーク複合機１とＬＡＮ６とを接続する通信アダプタであり、例えば、スキャナ１１３により得られた各原稿を含む電子データを、ＣＰＵ１０１の制御下で端末３等へ送信する。
【００５５】
図６は、ネットワーク複合機１のスキャナ１１３が備える機能構成を示すブロック図である。本図には、スキャナ１１３の詳細と、図５に示す各部のうち特にスキャナ１１３と関連するＣＰＵ１０１およびＲＡＭ１０５と、内部バス１１９とを示す。
【００５６】
ＣＰＵ１０１は、指示受付部１３０と、読取面判断部１３１とを備える。これらは、制御プログラム１０３ａを実行することにより発揮される機能である。
【００５７】
指示受付部１３０は、操作パネル３２に入力される指示を受け付ける処理部であり、原稿の表面および裏面のうち、いずれを読み取るかを示す情報を含む利用者の指示を受け付ける。
【００５８】
読取面判断部１３１は、指示受付部１３０により受け付けられた情報を取得し、取得した情報を参照することにより原稿の表面および裏面のいずれの面を読み取るかを判断する。
【００５９】
スキャナ１１３は、ＡＤＦ部２０内に、裏面読取部７０と、原稿搬送部１２０と、裏面画像処理部１２７とを備え、ＦＢＳ部１０内に、表面読取部７５と、特定画像記憶部１２３と、特定画像判定部１２５と、表面画像処理部１２９とを備える。
【００６０】
まず、ＡＤＦ部２０内の各部について説明する。
原稿搬送部１２０は、制御プログラム１０３ａを実行するＣＰＵ１０１の制御下で、原稿供給トレイ５２に載置された複数の原稿を順に供給する。原稿搬送部１２０は、具体的には、ローラ５４、５８、および６０やローラ５４および５８を駆動するモータなどにより実現されるＡＤＦであり、請求項に記載の原稿供給部に相当する。
【００６１】
裏面読取部７０は、ＡＤＦにより供給される原稿の両面を読み取る場合に裏面の画像を示す裏面画像情報を読み取る部位であり、請求項に記載の第２画像読取部に相当する。裏面読取部７０については既に説明したため、ここでの詳細な説明は省略する。
【００６２】
裏面画像処理部１２７は、裏面読取部７０により読み取られた原稿の裏面の画像を示す画像情報に画像処理を施し、データ量を圧縮する。画像情報を圧縮する方式としては、ＪＰＥＧ（Ｊｏｉｎｔ  Ｐｈｏｔｏｇｒａｐｈｉｃ  Ｅｘｐｅｒｔｓ  Ｇｒｏｕｐ）方式やＧＩＦ（Ｇｒａｐｈｉｃｓ  Ｉｎｔｅｒｃｈａｎｇｅ  Ｆｏｒｍａｔ）ファイルへの画像圧縮方式などが例として挙げられる。
【００６３】
次に、ＦＢＳ部１０内の各部について説明する。
表面読取部７５は、ＡＤＦにより供給される原稿の両面を読み取る場合に表面の画像を示す表面画像情報を読み取る部位であり、請求項に記載の第１画像読取部に相当する。表面読取部７５については既に説明したため、ここでの詳細な説明は省略する。本実施の形態では、表面読取部７５の解像能力と裏面読取部７０の解像能力とは同一である。
【００６４】
表面画像処理部１２９は、表面読取部７５により読み取られた原稿の表面の画像を示す画像情報に画像処理を施し、データ量を圧縮する。画像情報を圧縮する方式としては、ＪＰＥＧ（Ｊｏｉｎｔ  Ｐｈｏｔｏｇｒａｐｈｉｃ  Ｅｘｐｅｒｔｓ  Ｇｒｏｕｐ）方式やＧＩＦ（Ｇｒａｐｈｉｃｓ  Ｉｎｔｅｒｃｈａｎｇｅ  Ｆｏｒｍａｔ）ファイルへの画像圧縮方式などが例として挙げられる。
【００６５】
特定画像記憶部１２３は、特定画像の特徴を示す値を含む特定画像情報１２３ａを記憶しており、請求項に記載の特定画像情報記憶手段に相当する。本実施の形態の特定画像情報１２３ａは、特定画像の一部である特定領域に含まれる各画素値の特定の色成分の値を、特定画像の特徴を示す値として含む。特定画像情報１２３ａについて、より具体的に図７を参照して説明する。
【００６６】
図７（ａ）は本実施の形態の特定画像を示す図である。本実施の形態の特定画像は、本図の点線枠１３２ａで囲まれた矩形領域内の画像であり、縦横ともに１５画素であるとする。点線枠１３２ｂで囲まれた矩形領域内の画像は、点線枠１３２ａで囲まれた矩形領域内の画像を９０度回転させた画像である。このように、回転後の画像の情報も記憶しておくことにより、特定画像を含む原稿が回転して読み取られた場合にも、特定画像が含まれるか否かを判定することができる。
【００６７】
図７（ｂ）は、本実施の形態の特定画像記憶部１２３が記憶している特定画像情報１２３ａの一例を説明するための概念図であり、実線枠１３３ａおよび１３３ｂで示される特定画像の７ライン目を画素ごとに示す。斜線は、特定画像に含まれる画像の画素値のＲ成分がある部分を示す。
【００６８】
図７（ｃ）は、本実施の形態の特定画像記憶部１２３が記憶している特定画像情報１２３ａの一例を示す図である。
【００６９】
本図に示す特定画像情報１２３ａは、位置と値とを含む。位置は、第１成分がＸ座標位置、第２成分がＹ座標位置、第３成分が回転前か回転後かを示す。より具体的には、第１成分には、Ｘ座標位置として、左から順に０〜１４が付与される。また、第２成分には、Ｙ座標位置として、上から順に０〜１４が付与される。さらに、第３成分には、回転前の画像には「０」を回転後の画像には「１」が付与される。また、値は、各位置に対応する画素値に含まれるＲ成分の値である。
【００７０】
本図に示す特定画像情報１２３ａは、例えば、位置「（０，０，０）」の値が「０」であり、位置「（１，７，０）」の値が「２５５」である特定画像情報を含む例を示す。
【００７１】
ここから、図６の説明に戻る。
配線４０は、ＣＰＵ１０１とＡＤＦ部２０の原稿搬送部１２０および裏面画像処理部１２７とを接続する。具体的には、配線４０は、ＣＰＵ１０１とＡＤＦ部２０の原稿搬送部１２０および裏面画像処理部１２７を備える回路基板とを接続するハーネスなどであり、ＣＰＵ１０１が１６ｂｉｔである場合、１６本の信号線により構成される。
【００７２】
特定画像判定部１２５は、表面の画像に特定画像が含まれているか否かを判定する。
すなわち、特定画像判定部１２５は、表面読取部７５により読み取られた表面画像情報を表面読取部７５から取得し、取得した表面画像情報から得られる原稿表面の画像の特徴を示す値と、取得した特定画像情報１２３ａに含まれる特定画像の特徴を示す値とを比較し、比較した結果、２つの特徴量の差が予め定められた範囲内にある場合に、原稿に特定画像が含まれていると判定する。
【００７３】
ここで、１台のネットワーク複合機当たりのコストを削減し、故障の原因を減らすために、特定画像判定部１２５は、ＡＤＦ部２０とＦＢＳ部１０とのそれぞれに備えられるよりも、ＡＤＦ部２０とＦＢＳ部１０とのいずれかに１つのみ備えられる方が望ましい。そのため、本実施の形態では、特定画像判定部１２５は１つである。
【００７４】
本実施の形態では、特定画像判定部１２５は表面画像情報のみに基づいて原稿に特定画像が含まれるか否かを判定する。そのため、ＡＤＦ部２０とＦＢＳ部１０とを接続する配線４０に、特定画像判定部１２５が裏面画像情報を取得するための配線は不要になる。そのため、配線４０は、原稿搬送部１２０および裏面画像処理部１２７を制御するために内部バス１１９と接続される信号線のみとなる。
【００７５】
一般に、原稿搬送部１２０と内部バス１１９とを接続する配線と、裏面画像処理部１２７と内部バス１１９とを接続する配線には、共通の配線４０が利用される。配線４０は、ＣＰＵが１６ｂｉｔの場合、信号を伝達するための１６本の信号線により構成される。
【００７６】
このように、ＡＤＦ部２０とＦＢＳ部１０とを接続する信号線は少なくてすむため、ＡＤＦ部２０とＦＢＳ部１０との間で配線を取り回すための設計上の制約や負担を軽減することが可能になる。また、信号線を少なくすることができるため、放射ノイズを低減させることが可能になる。
【００７７】
図８は、ネットワーク複合機１が実行する処理の流れを示すフローチャートである。本図の説明において、ＣＰＵ１０１は、ＲＯＭ１０３に格納されている制御プログラム１０３ａを実行しており、その制御プログラム１０３ａに従って各部を制御する。特に、指示受付部１３０および読取面判断部１３１は、制御プログラム１０３ａを実行するＣＰＵ１０１により発揮される機能である。
【００７８】
指示受付部１３０は、操作パネル３２に入力された利用者による原稿の読取指示を取得する（Ｓ１１）。この読取指示には、原稿の表面および裏面のうち、いずれを読み取るかを示す情報を含む。
【００７９】
原稿搬送部１２０は、原稿の読取開始の指示を取得したＣＰＵ１０１の制御の下で、搬送路を搬送される原稿を検知するセンサ群からの情報に基づいてローラ５４および５８を回転させ、原稿供給トレイ５２に載置された原稿５０を供給する（Ｓ１２）。
【００８０】
読取面判断部１３１は、読取指示を取得し、その読取指示に含まれる情報に従って、原稿のいずれの面を読み取るかを判断する（Ｓ１３およびＳ１５）。
【００８１】
まず、読取面判断部１３１は裏面のみを読み取るか否かを判断する（Ｓ１３）。
読取面判断部１３１により原稿の裏面のみを読み取ると判断された場合（Ｓ１３でＹｅｓ）、スキャナ１１３は、原稿の裏面に関する処理（Ｓ１４）を実行し、処理を終了する。裏面処理（Ｓ１４）では、裏面を読み取り、読み取った裏面画像に画像処理を施す裏面読取処理と、表面画像を読み取り、それに特定画像が含まれるか否かを判断する表面読取判断処理とが併行して実行される。裏面読取処理と表面読取判断処理との詳細は、それぞれ後述する。
【００８２】
読取面判断部１３１は、原稿の裏面のみの読み取りではないと判断した場合（Ｓ１３でＮｏ）、さらに、原稿の表面のみの読み取りであるか否かを判断する（Ｓ１５）。
【００８３】
読取面判断部１３１により、原稿の裏面のみの読み取りではないと判断され（Ｓ１３でＮｏ）、さらに、原稿の表面のみを読み取ると判断された場合（Ｓ１５でＹｅｓ）、スキャナ１１３は、原稿の表面に関する処理（Ｓ１６）を実行し、処理を終了する。表面処理（Ｓ１６）の詳細は、後述する。
【００８４】
読取面判断部１３１により、原稿の裏面のみの読み取りではないと判断され（Ｓ１３でＮｏ）、さらに、原稿の表面のみの読み取りではないと判断された場合（Ｓ１５でＮｏ）、スキャナ１１３は、両面処理（Ｓ１７）を実行し、処理を終了する。両面処理（Ｓ１７）では、裏面を読み取り、読み取った裏面画像に画像処理を施す裏面読取処理と、表面画像を読み取り、それに特定画像が含まれるか否かを判断する表面読取判断処理とが併行して実行される。両面処理（Ｓ１７）での裏面読取処理と表面読取判断処理との詳細は、後述する。
【００８５】
図９は、ネットワーク複合機１のスキャナ１１３が実行する裏面処理（Ｓ１４）のうち、裏面読取処理の詳細な流れを示すフローチャートである。
【００８６】
裏面読取部７０は裏面の画像を読み取り、読み取られた画像を示す裏面画像情報を出力する（Ｓ２１）。
【００８７】
裏面画像処理部１２７は、特定画像判定部１２５の判定結果を取得したＣＰＵ１０１の制御の下、裏面読取部７０から裏面画像情報を取得し、取得した裏面画像情報をそのまま圧縮する（Ｓ２２）。
【００８８】
裏面画像処理部１２７は、圧縮した裏面画像情報をＲＡＭ１０５に格納し（Ｓ２３）、裏面処理を終了する。
【００８９】
図１０は、ネットワーク複合機１のスキャナ１１３が実行する裏面処理（Ｓ１４）のうち、表面読取判断処理の詳細な流れを示すフローチャートである。
【００９０】
表面読取部７５は、搬送路５６を通過する原稿表面の画像を読み取る（Ｓ３１）。
特定画像判定部１２５は、表面読取部７５により読み取られた表面の画像を示す表面画像情報を取得し、その表面画像情報が示す画像に特定画像記憶部１２３が記憶している特定画像が含まれるか否かを判定する（Ｓ３２）。
【００９１】
ここで、特定画像が含まれているか否かを判定する処理（Ｓ３２）の具体的な手順について、図１１（ａ）を参照して説明する。
【００９２】
図１１（ａ）は、特定画像を含む原稿の一例を示す図である。ここで、特定画像は、図７（ａ）に示す画像であり、特定画像情報１２３ａは図７（ｃ）に示す内容を含む。図１１（ａ）に示すように原稿の表面には、右下の点線で囲んだ部分１３８に特定画像が含まれている。
【００９３】
特定画像判定部１２５は、図１１（ａ）に示す原稿の画像を示す表面画像情報を表面読取部７５から取得し、特定画像記憶部１２３が記憶している特定画像情報１２３ａを取得する。
【００９４】
次に、特定画像判定部１２５は、取得した表面画像情報の上から順に連続する１５ラインの各ラインに含まれる連続した１５画素分の画素値と、取得した特定画像情報１２３ａを構成する各ラインに含まれる連続した１５画素分の画素値とを比較する。ここでの１５ラインおよび１５画素は、特定画像のサイズに対応しているすなわち、本実施の形態では特定画像が含まれているか否かを判断するための画像の特徴量として、各行に含まれる一定数の連続した画素の画素値を用いる。
【００９５】
ここで、図７と図１１（ａ）とを参照して、１ライン分の画素値の比較の一例について説明する。図１１（ａ）に示す第１の画像領域１３６は、左下の点線で囲まれた部分を示し、第２の画像領域はと右下の点線で囲まれた部分１３８を示す。第１の画像領域と第２の画像領域とはともに、縦１５ライン横１５画素の画像領域を示している。また、第１のライン１３７は、第１の画像領域１３６に含まれる７行目の画素であり、第２のライン１３８は、第２の画像領域１３８に含まれる７行目の画素である。第１のライン１３７と第２のライン１３８とは共通のライン１３５の一部である。
【００９６】
特定画像判定部１２５は、対応する表面画像に含まれる、左右に連続した１５個の画素の画素値を、特定画像情報１２３ａに含まれる画素値と比較する。第１のライン１３７に含まれる画素の画素値がすべて「０」である場合、比較の結果として得られる７行目の差分絶対値和は「１２７５」（＝０×１０＋２５５×５）となる。
【００９７】
また、第２のライン１３９に含まれる画素の画素値が左から順に「１０、２４５、０、２５５、０、０、０、２５５、０、０、０、２５５、０、２５５、０」である場合、比較の結果として得られる７行目の差分絶対値和は「２０」となる。
【００９８】
このように、表面画像の一部である第２の比較部１３９に特定画像が含まれているため、特定画像判定部１２５は、図１０（ａ）に示す原稿の表面に特定画像が含まれると判定する（Ｓ２２でＹｅｓ）。
【００９９】
同様に、各画像領域の１ライン目から６ライン目および８ライン目から１５ライン目までの画素値についても差分絶対値和を算出し、１行目から１５行目までの差分絶対値和を合計することによって、特定画像判定部１２５は、特定画像が含まれているか否かの判定に係る差分絶対値和を算出する。
【０１００】
このように、特定画像判定部１２５が比較する画素値は、本実施の形態では、各画素のＲＧＢ成分のうちのＲ成分のみである。このようにＲ成分の値のみを比較に用いることで、表面読取部７５から特定画像判定部１２５に送信する情報量をＲＧＢ成分のすべての値を送信する場合に比べて減少させることができ、そのため、表面読取部７５と特定画像判定部１２５とを接続する配線を構成する信号線を減少させることができる。これにより、その配線から発生する放射ノイズを減少させることが可能になる。
【０１０１】
特定画像判定部１２５は、表面画像のうち、縦１５ライン横１５画素の画素値と、特定画像に含まれる対応する位置の画素値との差分絶対値和を比較の結果として算出し、算出した差分絶対値和が予め定められた閾値以下であるか否かにより、特定画像が含まれているか否かを判定する（Ｓ３２）。
【０１０２】
すなわち、特定画像判定部１２５は、算出した差分絶対値和が閾値より大きい場合には、特定画像が含まれていないと判定し（Ｓ３２でＮｏ）、差分絶対値和が閾値以下である場合には、特定画像が含まれていると判定する（Ｓ３２でＹｅｓ）。
【０１０３】
以上、本実施の形態における特定画像の判定方法を説明したが、これは読み取られた画像に特定画像が含まれるか否かを判定する方法の一例にすぎず、読み取られた画像に特定画像が含まれるか否かを判定する方法はこれに限定されない。
【０１０４】
以上の表面読取判断処理のうち、表面読取処理（Ｓ３１）と特定画像判断処理（Ｓ３２）とは、上記のように図９を参照して説明した裏面読取処理と併行してネットワーク複合機１により実行される。これにより、原稿の読取時間を短縮することが可能になる。
【０１０５】
ここから、図１０の説明に戻る。
特定画像が含まれていないと判定された場合（Ｓ３２でＮｏ）、ネットワーク複合機１は裏面処理を終了する。
【０１０６】
また、特定画像が含まれていると判定された場合（Ｓ３２でＹｅｓ）、裏面画像処理部１２７は、特定画像判定部１２５の判定結果を取得したＣＰＵ１０１の制御の下、メモリ格納処理（Ｓ２３）において格納された圧縮された裏面画像情報をＲＡＭ１０５から取得する（Ｓ３３）。
【０１０７】
裏面画像処理部１２７は、圧縮された裏面画像情報に加工を施す（Ｓ３４）。ここで、特定画像が含まれる原稿に対する加工の例を図１１（ｂ）を参照して説明する。
【０１０８】
図１１（ｂ）は本発明の画像読取装置を備えるネットワーク複合機１によって作成された特定画像が含まれる原稿の複製の一例を示す図である。このように、原稿全体に斜線の影が施され、原稿に含まれる特定画像は薄くぼかされる。このような加工をすることにより、特定画像が含まれる原稿の複製を印刷したとしても、その複製の使用を防止することが可能になる。
【０１０９】
裏面画像処理部１２７は、裏面画像加工処理（Ｓ３４）において加工した画像情報をＣＰＵ１０１の制御の下でＲＡＭ１０５に格納して（Ｓ３５）、裏面処理を終了する。
【０１１０】
図１２は、ネットワーク複合機１のスキャナ１１３が実行する表面処理（Ｓ１６）の詳細な流れを示すフローチャートである。本図では、図１０に示す各処理と同一の処理には、同じ参照符号を付している。ここでは、これらの処理の詳細な説明は省略する。
【０１１１】
表面読取部７５は、搬送路５６を通過する原稿表面の画像を読み取る（Ｓ３１）。
表面画像処理部１２９は、表面読取部７５から表面画像情報を取得し、取得した表面画像情報をそのまま圧縮する（Ｓ４１）。
【０１１２】
表面画像処理部１２９は、表面画像処理（Ｓ４１）において圧縮した表面画像をＣＰＵ１０１の制御の下でＲＡＭ１０５に格納する（Ｓ４２）。
【０１１３】
特定画像判定部１２５は、表面読取部７５により読み取られた表面の画像を示す表面画像情報を取得し、その表面画像情報が示す画像に特定画像記憶部１２３が記憶している特定画像が含まれるか否かを判定する（Ｓ３２）。
【０１１４】
特定画像が含まれていないと判定された場合（Ｓ３２でＮｏ）、ネットワーク複合機１は表面処理を終了する。
【０１１５】
また、特定画像が含まれていると判定された場合（Ｓ３２でＹｅｓ）、表面画像処理部１２９は、特定画像判定部１２５の判定結果を取得したＣＰＵ１０１の制御の下、ＲＡＭ１０５から圧縮された表面画像情報を取得し、取得した表面画像情報に加工を施す（Ｓ４４）。ここで、特定画像が含まれる原稿に対する加工の例は、図１１（ｂ）を参照して説明した裏面の画像の場合と同様であるため、ここでの説明は省略する。
【０１１６】
表面画像処理部１２９は、表面画像加工処理（Ｓ４４）において加工した表面画像情報をＣＰＵ１０１の制御の下でＲＡＭ１０５に格納して（Ｓ４５）、表面処理を終了する。
【０１１７】
図１３は、ネットワーク複合機１のスキャナ１１３が実行する両面処理（Ｓ１７）のうち、裏面読取処理の詳細な流れを示すフローチャートである。本図に示す処理は、図９を参照して説明した裏面処理（Ｓ１４）での裏面読取処理と同様である。そのため、両面処理（Ｓ１７）での裏面読取処理に関する説明は省略する。
【０１１８】
図１４は、ネットワーク複合機１のスキャナ１１３が実行する両面処理（Ｓ１７）のうち、表面読取判定処理の詳細な流れを示すフローチャートである。本図では、図１０および図１２に示す各処理と同一の処理には、同じ参照符号を付している。ここでは、これらの処理の詳細な説明は省略する。
【０１１９】
表面読取部７５は、搬送路５６を通過する原稿表面の画像を読み取る（Ｓ３１）。
表面画像処理部１２９は、表面読取部７５から表面画像情報を取得し、取得した表面画像情報をそのまま圧縮する（Ｓ４１）。
【０１２０】
表面画像処理部１２９は、表面画像処理（Ｓ４１）において圧縮した表面画像をＣＰＵ１０１の制御の下でＲＡＭ１０５に格納する（Ｓ４２）。
【０１２１】
特定画像判定部１２５は、表面読取部７５により読み取られた表面の画像を示す表面画像情報を取得し、その表面画像情報が示す画像に特定画像記憶部１２３が記憶している特定画像が含まれるか否かを判定する（Ｓ３２）。
【０１２２】
特定画像が含まれていないと判定された場合（Ｓ３２でＮｏ）、ネットワーク複合機１は裏面処理を終了する。
【０１２３】
また、特定画像が含まれていると判定された場合（Ｓ３２でＹｅｓ）、表面画像処理部１２９は、特定画像判定部１２５の判定結果を取得したＣＰＵ１０１の制御の下、ＲＡＭ１０５から圧縮された表面画像情報を取得し、取得した表面画像情報に加工を施す（Ｓ４４）。ここで、特定画像が含まれる原稿に対する加工の例は、図１１（ｂ）を参照して説明した裏面の画像の場合と同様であるため、ここでの説明は省略する。
【０１２４】
表面画像処理部１２９は、表面画像加工処理（Ｓ４４）において加工した表面画像情報をＣＰＵ１０１の制御の下でＲＡＭ１０５に格納する（Ｓ４５）。
【０１２５】
続けて、裏面画像処理部１２７は、特定画像判定部１２５の判定結果を取得したＣＰＵ１０１の制御の下、メモリ格納処理（Ｓ２３）において圧縮された裏面画像情報をＲＡＭ１０５から取得し、取得した裏面画像情報に加工を施す（Ｓ３４）。ここで、特定画像が含まれる原稿に対する加工の例は、図１１（ｂ）を参照して説明した裏面の画像の場合と同様であるため、ここでの説明は省略する。
【０１２６】
裏面画像処理部１２７は、裏面画像加工処理（Ｓ３４）において加工した裏面画像情報をＣＰＵ１０１の制御の下でＲＡＭ１０５に格納して（Ｓ３５）、両面処理を終了する。
【０１２７】
以上、図８から図１４までを参照してスキャナ１１３が実行する処理について説明した。このように、本実施の形態のスキャナは、１つの特定画像判定部１２５によって、表面画像に特定画像が含まれているかを判定し、その判定結果によってその原稿に特定画像が含まれているか否かを判定する。
【０１２８】
以上の処理により判定された結果をユーザに提示する例を図１５に示す。
図１５は、読み取られた原稿に特定画像が含まれることを提示するディスプレイ３４の表示例を示す図である。原稿に特定画像が含まれていた場合、本図に示すように、特定画像判定部１２５の判定結果を取得したＣＰＵ１０１により、ディスプレイ３４には読み取られた原稿に特定画像が含まれていたことが表示される。これにより、利用者は出力された画像に図１１（ｂ）に示すような加工処理が施されたのが、原稿に特定画像が含まれていたためであることを知ることができる。
【０１２９】
以上、本発明の実施の形態に係る画像読取装置について説明したが、本発明は、この実施の形態に限定されるものではない。
【０１３０】
例えば、特定画像判定部１２５は、原稿に特定画像が含まれているか否かを判定するためにヒストグラムを用いても良い。ここでいう「ヒストグラム」とは、画像中に含まれる各画素の画素値の分布を示すヒストグラムである。画素値がＲＧＢ成分で表される場合を例に説明する。
【０１３１】
特定画像記憶部１２３は、特定画像に含まれるＲ成分のヒストグラムを特定画像情報１２３ａとして記憶している。
【０１３２】
特定画像判定部１２５は、原稿に含まれる、特定画像の大きさに相当する各領域のＲ成分のヒストグラムと特定画像情報１２３ａとを比較し、比較の結果、両者の差分を閾値と比較する。これにより、原稿に特定画像が含まれるか否かを判定することができる。
【０１３３】
また、例えば、特定画像判定部１２５での判定に利用する画素値は、Ｒ成分のみに限られない。特定画像判定部１２５は、ＲＧＢ成分の各画素値のいずれか１つまたは２つの組み合わせを利用して比較してもよい。
【０１３４】
また、各画素の色は、ＲＧＢ成分により表現されるだけでなく、輝度および色差によるＹＣＣ系や、明度および色度成分で示すＬａｂ系により表現されてもよい。画像情報が輝度および色差により表現される場合には、特定画像判定部１２５は、各画素の輝度および色差成分のいずれか１つまたは一部の組み合わせを利用して比較してもよい。なお、Ｌａｂ系による場合も同様である。これによっても、特定画像判定部１２５での比較にＲ成分のみを利用する場合と同様の効果を奏することができる。
【０１３５】
さらに例えば、実施の形態では、特定画像判定部１２５は、表面読取部７５により読み取られた表面画像情報に基づいて、原稿に特定画像が含まれているか否かを判定することとしたが、裏面読取部７０により読み取られた裏面画像情報に基づいて、原稿に特定画像が含まれているか否かを判定してもよい。この場合、原稿の裏面は請求項に記載の「原稿の第１面」に相当し、原稿の表面は請求項に記載の「原稿の第２面」に相当し、裏面読取部７０は請求項に記載の「第１画像読取部」に相当し、表面読取部７５は請求項に記載の「第２画像読取部」に相当する。また、実施の形態でＦＢＳ部１０に備えられる特定画像判定部１２５は、ＡＤＦ部２０に備えられ、特定画像判定部１２５の判定結果のみがＣＰＵ１０１または表面画像処理部１２９に送信される。
【０１３６】
そのため、実施の形態と同様に、原稿押圧部と本体との間を接続する配線を構成する信号線の本数を少なくすることができる。したがって、設計の制約および負担を軽減することが可能になり、放射ノイズを低減させることが可能になる。
【０１３７】
また例えば、実施の形態では表面読取部７５と裏面読取部７０との解像能力が同一であるとしたが、表面読取部と裏面読取部とで解像能力が異なっていてもよい。
【０１３８】
この場合、解像能力が高い読取部と特定画像判定部とを接続する方が好ましい。これにより、精度の高い画像に基づいて特定画像が含まれるか否かを判定することができる。したがって、精度の高い画像の判定が可能になる。
【産業上の利用可能性】
【０１３９】
本発明は、ＡＤＦ内の原稿搬送路の１度の通過で両面を読み取る原稿読取装置に適用でき、特に、このような原稿読取装置を備える複写機、スキャナ、ファクシミリおよびこれらの複合機等に適用できる。
【図面の簡単な説明】
【０１４０】
【図１】本発明の一実施の形態としてのネットワーク複合機を含む通信システムの構成例を示す図である。
【図２】（ａ）ネットワーク複合機の正面図である。（ｂ）ネットワーク複合機の平面図である。
【図３】ネットワーク複合機のスキャナの主要部を示す断面図である。
【図４】ネットワーク複合機の裏面読取部の詳細を示す図である。
【図５】ネットワーク複合機のハードウェア構成の一例を示す図である。
【図６】ネットワーク複合機のスキャナが備える構成を示すブロック図である。
【図７】（ａ）本実施の形態の特定画像を示す図である。（ｂ）本実施の形態の特定画像記憶部が記憶している特定画像情報を示す概念図である。（ｃ）本実施の形態の特定画像記憶部が記憶している特定画像情報の一例を示す図である。
【図８】ネットワーク複合機が実行する処理の流れを示すフローチャートである。
【図９】ネットワーク複合機のスキャナが実行する裏面処理Ｓ１４のうち、裏面読取処理の詳細な流れを示すフローチャートである。
【図１０】ネットワーク複合機のスキャナが実行する裏面処理Ｓ１４のうち、表面読取判断処理の詳細な流れを示すフローチャートである。
【図１１】（ａ）特定画像を含む原稿の一例を示す図である。（ｂ）本発明の原稿読取装置を備えるネットワーク複合機によって作成された特定画像が含まれる原稿の複製の一例を示す図である。
【図１２】ネットワーク複合機のスキャナが実行する表面処理Ｓ１６の詳細な流れを示すフローチャートである。
【図１３】ネットワーク複合機のスキャナが実行する両面処理Ｓ１７のうち、裏面読取処理の詳細な流れを示すフローチャートである。
【図１４】ネットワーク複合機のスキャナが実行する両面処理Ｓ１７のうち、表面読取判断処理の詳細な流れを示すフローチャートである。
【図１５】読み取られた原稿に特定画像が含まれることを提示するディスプレイの表示例を示す図である。
【符号の説明】
【０１４１】
１、２  ネットワーク複合機
１０  ＦＢＳ部
２０  ＡＤＦ部
３０  ユーザインターフェース
３５  ヒンジ部
４０  配線
５０  原稿
５２  原稿供給トレイ
５４、５８、６０  ローラ
５６  搬送路
７０  裏面読取部
７２  裏面読取スリット
７５  表面読取部
７６、９１  コンタクトガラス
７７  表面読取スリット
７９  走査部
８０、９５  光源
８１、８３、８５  ミラー
８７、９７  光学レンズ
８９、９９  光電変換素子
９３  筐体
１０１  ＣＰＵ
１０３  ＲＯＭ
１０５  ＲＡＭ
１１３  スキャナ
１１９  内部バス
１２０  原稿搬送部
１２３  特定画像記憶部
１２５  特定画像判定部
１２７  裏面画像処理部
１２９  表面画像処理部
１３０  指示受付部
１３１  読取面判断部
【図１】
2008270920.tif 000003
【図２】
2008270920.tif 000004
【図３】
2008270920.tif 000005
【図４】
2008270920.tif 000006
【図５】
2008270920.tif 000007
【図６】
2008270920.tif 000008
【図７】
2008270920.tif 000009
【図８】
2008270920.tif 000010
【図９】
2008270920.tif 000011
【図１０】
2008270920.tif 000012
【図１１】
2008270920.tif 000013
【図１２】
2008270920.tif 000014
【図１３】
2008270920.tif 000015
【図１４】
2008270920.tif 000016
【図１５】
2008270920.tif 000017